(57)【特許請求の範囲】
【請求項１】
燃焼筒及びバーナ間に介装される燃焼筒支えと、燃焼筒及び燃焼室の天面間に介装される燃焼筒押さえとを具備した石油ストーブの燃焼筒包装構造において、
前記燃焼筒支え及び前記燃焼筒押さえはともに厚紙を用いて作製され、
前記燃焼筒支えは、少なくとも３つの脚部が折り曲げ立設された上側部品と、前記脚部のそれぞれが挿通し、かつ、各脚部を位置決め支持する貫通孔が形成された下側部品とを互いに組み合わせたものであることを特徴とする石油ストーブの燃焼筒包装構造。
【発明の詳細な説明】
【０００１】
【発明の属する技術分野】
本発明は石油ストーブの燃焼筒包装構造にかかり、特には、燃焼筒に取り付けられた包装部材の簡素化を図るための技術に関する。
【０００２】
【従来の技術】
家電製品である石油ストーブは段ボール紙製のパッキングケースを用いて包装されたうえでメーカから出荷されて運搬された後、購入したうえで包装を解いたユーザによって使用されるのが一般的であり、図４で示すように、出荷時における石油ストーブ５の燃焼筒６に対しては運搬時の悪影響から燃焼筒６を保護するための燃焼筒包装部材が取り付けられている。そして、この際における燃焼筒包装部材としては、燃焼筒６及びバーナ（図示省略）間に介装される発泡スチロール製の燃焼筒支え７と、折り曲げ一体化されたうえで燃焼筒６及び燃焼室８の天面８ａ間に介装される段ボール紙製の燃焼筒押さえ９とがあり、ここでの燃焼筒支え７は図５で簡略化して示すような成型品となっている。
【０００３】
【発明が解決しようとする課題】
ところで、前記従来の燃焼筒包装構造にあっては、ユーザが燃焼筒包装部材である燃焼筒支え７及び燃焼筒押さえ９を除去し忘れる、つまり、段ボール紙を用いて作製されているために燃焼筒包装部材であることが明らかな燃焼筒押さえ９については除去するが、発泡スチロール製の燃焼筒支え７については必要部品と誤解したうえで除去し忘れることが起こっていた。
【０００４】
そして、燃焼筒支え７の除去し忘れに気付かないまま、バーナでもって点火された燃焼筒支え７が発火して発煙を生じることによって燃焼筒支え７を除去すべきであったことに初めて気付くユーザも居るが、発泡スチロールの火は消え難くて多量の煤を発生するため、燃焼筒支え７の除去し忘れに起因する迷惑が周囲にまで及んでしまう。また、複雑な形状の成型品である燃焼筒支え７を製造するためには多大の手間及びコストを要することが避けられないばかりか、紙製であれば処分が容易であるにも拘わらず、発泡スチロール製の燃焼筒支え７については除去後の処分にも困るのが実情であった。
【０００５】
本発明は、このような不都合に鑑みて創案されたものであって、除去し忘れを防止しながらの簡素化を図ることができ、しかも、除去後の処分を容易化することも可能な石油ストーブの燃焼筒包装構造を提供しようとするものである。
【０００６】
【課題を解決するための手段】
本発明の請求項１にかかる石油ストーブの燃焼筒包装構造は、燃焼筒及びバーナ間に介装される燃焼筒支えと、燃焼筒及び燃焼室の天面間に介装される燃焼筒押さえとを具備し、前記燃焼筒支え及び前記燃焼筒押さえはともに厚紙を用いて作製され、前記燃焼筒支えは、少なくとも３つの脚部が折り曲げ立設された上側部品と、前記脚部のそれぞれが挿通し、かつ、各脚部を位置決め支持する貫通孔が形成された下側部品とを互いに組み合わせたものであることを特徴としている。
【０００７】
【発明の実施の形態】
以下、本発明の実施の形態を図面に基づいて説明する。
【０００８】
図１は本実施の形態にかかる石油ストーブの燃焼筒包装構造を示す一部破断斜視図、図２は燃焼筒支えの分解状態を示す外観斜視図、図３は燃焼筒支えの組立状態を示す外観斜視図であり、これらの図における符号１は石油ストーブ、２は燃焼筒支えを示している。なお、石油ストーブの全体構造は従来の形態と基本的に異ならないので、図１において図４と互いに同一となる部品、部分には同一符号を付している。
【０００９】
本実施の形態にかかる石油ストーブ１の燃焼筒包装構造は、図１で簡略化して示すように、燃焼筒６及びバーナ（図示省略）間に介装される燃焼筒支え２と、燃焼筒６及び燃焼室８の天面８ａ間に介装される燃焼筒押さえ９とを具備して構成されたものであり、燃焼筒包装部材である燃焼筒支え２及び燃焼筒押さえ９はともに厚紙、一般的には、段ボール紙を用いて作製されたものとなっている。そして、この際における燃焼筒支え２は、図２で示すように、ほぼ同径の円板形状を有する上側部品３及び下側部品４を組み合わせることによって構成されたものであり、上側部品３の略中央部には燃焼筒６の外炎筒（図示省略）が嵌入される円形状の開口３ａが形成される一方、下側部品４の略中央部には燃焼筒６の内炎筒（図示省略）が嵌入される円形状の開口４ａが開口３ａと同心状になるようにして形成されている。なお、これらの上側部品３及び下側部品４は所要厚みを有する複両面段ボール平板の打ち抜きによって作製されるのが一般的であり、開口３ａ，４ａも打ち抜き形成されている。
【００１０】
さらに、上側部品３における円周上のほぼ等分配置された３箇所には下向きに折り曲げ立設された脚部３ｂが設けられている一方、下側部品４には脚部３ｂのそれぞれが挿通し、かつ、各脚部３ｂを位置決め支持するための貫通孔４ｂが脚部３ｂと合致する位置を選んだうえで設けられている。そして、この際における脚部３ｂのそれぞれは、上側部品３の所定位置ごとに一対ずつの切り込み線３ｃを入れたうえ、一対の切り込み線３ｃにおける端部同士を結ぶ折り曲げ線（図示省略）に従って折り曲げられたものである一方、貫通孔４ｂのそれぞれは打ち抜き形成されたものとなっている。なお、ここでは、脚部３ｂ及び貫通孔４ｂの個数が３つとしているが、４つ以上であってもよいことは勿論である。
【００１１】
そこで、上側部品３の折り曲げ立設された脚部３ｃを下側部品４の貫通孔４ｂに差し込んだうえで上側部品３及び下側部品４同士を対面させれば、図３で示すような組立状態を有する燃焼筒支え２が構成されたことになる。そして、このようにして構成されたうえで石油ストーブ１のバーナ上に載置された燃焼筒支え２上には燃焼筒６が載置されることになるが、この燃焼筒支え２は上側部品３と下側部品４との二重構造を有するものであるため、発泡スチロール製の燃焼筒支え７と比べても強度的な不都合が生じることは起こり得ない。
【００１２】
したがって、上記したような燃焼筒包装構造が採用された石油ストーブ１は段ボール紙製のパッキングケース（図示省略）を用いて包装されたうえでメーカから出荷されて運搬されることになり、購入したユーザはパッキングケースから石油ストーブ１を取り出したうえ、燃焼筒６の周囲に取り付けられた燃焼筒包装部材を除去することになる。そして、この際においては、燃焼筒支え２及び燃焼筒押さえ９がともに段ボール紙などの厚紙を用いて作製されたものであるため、これらが使用時には除去すべき燃焼筒包装部材であるとユーザが気付かないはずはなく、気付いたユーザは燃焼筒押さえ９のみならず、燃焼筒支え２をも確実に除去することになる。また、万一、ユーザが燃焼筒支え２を除去し忘れてしまい、燃焼筒支え２が発火したとしても、発泡スチロールのような消火上における不都合は生じないことになる。
【００１３】
【発明の効果】
以上説明したように、本発明の請求項１にかかる石油ストーブの燃焼筒包装構造においては、燃焼筒押さえのみならず、燃焼筒支えまでをも厚紙によって作製しているので、燃焼筒支えの除去し忘れを確実に防止しながら燃焼筒包装構造の簡素化を実現することができるという効果が得られる。そして、ユーザが燃焼筒支えを除去し忘れたことに起因する燃焼筒支えの発火を招いたとしても、厚紙製である燃焼筒支えの消化は容易であり、周囲にまで迷惑が及ぶことはなくなる。さらに、発泡スチロール製の燃焼筒支えを作成する場合のような手間及びコストを必要とせず、燃焼筒支えを簡単な手順でもって安価に作製し得ることとなる。さらにまた、燃焼筒支えが厚紙製であるため、除去後の処分も極めて容易になるという利点が得られる。
【００１４】
また、本発明の請求項２にかかる石油ストーブの燃焼筒包装構造を採用した際には、発泡スチロール製の燃焼筒支えを作製する場合のような手間及びコストを必要とせず、燃焼筒支えを簡単な手順でもって安価に作製し得ることとなる。さらにまた、燃焼筒支えが厚紙製であるため、除去後の処分も極めて容易になるという利点が得られる。
【図面の簡単な説明】
【図１】本実施の形態にかかる石油ストーブの燃焼筒包装構造を示す一部破断斜視図である。
【図２】本実施の形態にかかる燃焼筒支えの分解状態を示す外観斜視図である。
【図３】本実施の形態にかかる燃焼筒支えの組立状態を示す外観斜視図である。
【図４】従来の形態にかかる石油ストーブの燃焼筒包装構造を示す一部破断斜視図である。
【図５】従来の形態にかかる燃焼筒支えを示す外観斜視図である。
【符号の説明】
１    石油ストーブ
２    燃焼筒支え
３    上側部品
３ｂ  脚部
４    下側部品
４ｂ  貫通孔
８    燃焼室
８ａ  天面
９    燃焼筒押さえ
【図１】
0003599154.tif 000002
【図２】
0003599154.tif 000003
【図３】
0003599154.tif 000004
【図４】
0003599154.tif 000005
【図５】
0003599154.tif 000006